(57)【要約】【課題】噴出水を直射状にヘアキャッチャーに吹き付けてヘアキャッチャーを洗浄したり、ヘアキャッチャーから毛髪などのゴミを剥離させることが可能な排水トラップを提供する。【解決手段】浴槽排水流路２３を流れる水の一部は、該浴槽排水流路２３の途中で導水部材４０に流入し、該導水部材４０のノズル部４２からヘアキャッチャー３７に向って噴出する。この噴出水が直射状にヘアキャッチャー３７に吹き付けられるので、ヘアキャッチャー３７が浄化され、ヌメリ等が除去される。また、ヘアキャッチャー３７内の毛髪などのゴミがヘアキャッチャーから剥離される。これにより、浴槽排水の停止後に、ゴミを摘んで容易に捨てることができるようになる。【選択図】図３
2011226196.tif 000002
【特許請求の範囲】
【請求項１】
洗い場排水が受入口から流入するトラップ室と、
該受入口に配置されたヘアキャッチャーと、
該トラップ室が連なる合流流出口と、
該受入室の下側を通って延在し、一端側が浴槽排水の流入口に連なり、他端側が該合流流出口に連なる浴槽排水流路と、
該浴槽排水流路の水の一部を分取して該トラップ室内に導入するための導水部材と、
を備えてなる浴槽及び洗い場用の排水トラップであって、
前記導水部材は、前記ヘアキャッチャーに向けて上方に水を噴出させるように構成されていることを特徴とする排水トラップ。
【請求項２】
請求項１において、前記導水部材は、ヘアキャッチャーの複数箇所に向けて水を噴出するように複数の噴出口を備えていることを特徴とする排水トラップ。
【発明の詳細な説明】
【技術分野】
【０００１】
本発明は、浴槽及び洗い場用の排水トラップに係り、特に洗い場排水を受け入れる受入室と、浴槽排水が流入する浴槽排水流路とを有し、該受入室及び浴槽排水流路から水が共通の流出口を通って排水される排水トラップにおいて、該浴槽排水流路の水の一部を受入室内に導入するための導水部材を備えた排水トラップに関する。
【背景技術】
【０００２】
洗い場排水を受け入れる受入室と、浴槽排水が流入する浴槽排水流路とを有し、該受入室及び浴槽排水流路から水が共通の流出口を通って排水される排水トラップにおいて、該浴槽排水流路の水の一部を受入室内に導入するための導水部材を備え、この導入部材からの噴出水によって受入室内に旋回流を形成するよう構成した排水トラップが特開２００９−１６７５９０号公報に記載されている。このトラップの洗い場排水受入口には、上方が開放したカゴ（篭）状のヘアキャッチャーが着脱自在に装着されている。このヘアキャッチャーは、トラップ内の軸心部付近に垂下している。
【０００３】
浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
しかし、浴槽からの排水量が少ない場合には、ヘアキャッチャーが浸漬されず十分に浄化されないことがあった。
【先行技術文献】
【特許文献】
【０００４】
【特許文献１】特開２００９−１６７５９０号公報
【発明の概要】
【発明が解決しようとする課題】
【０００５】
本発明は、洗い場排水を受け入れる受入室と、浴槽排水が流入する浴槽排水流路とを有し、該受入室及び浴槽排水流路から水が共通の流出口を通って排水される排水トラップであって、該浴槽排水流路の水の一部を受入室内に導入するための導水部材を備えた排水トラップにおいて、該導水部材からの噴出水を直射状にヘアキャッチャーに吹き付けることにより、浴槽からの排水量が少ない場合にも、ヘアキャッチャーを洗浄したり、ヘアキャッチャーから毛髪などのゴミを剥離させることが可能な排水トラップを提供することを目的とする。
【課題を解決するための手段】
【０００６】
請求項１の排水トラップは、洗い場排水が受入口から流入するトラップ室と、該受入口に配置されたヘアキャッチャーと、該トラップ室が連なる合流流出口と、該受入室の下側を通って延在し、一端側が浴槽排水の流入口に連なり、他端側が該合流流出口に連なる浴槽排水流路と、該浴槽排水流路の水の一部を分取して該トラップ室内に導入するための導水部材と、を備えてなる浴槽及び洗い場用の排水トラップであって、前記導水部材は、前記ヘアキャッチャーに向けて上方に水を噴出させるように構成されていることを特徴とするものである。
【０００７】
請求項２の排水トラップは、請求項１において、前記導水部材は、ヘアキャッチャーの複数箇所に向けて水を噴出するように複数の噴出口を備えていることを特徴とするものである。
【発明の効果】
【０００８】
本発明の排水トラップにあっては、導水部材から水がヘアキャッチャーに直射状に噴出されるので、ヘアキャッチャーのヌメリ等が除去されると共に、ヘアキャッチャー上の毛髪等のゴミがヘアキャッチャーから剥離され、ヘアキャッチャーへのへばりつきが防止される。そのため、排水停止後に、ゴミをつまんでヘアキャッチャーから取り出し易くなる。
【０００９】
請求項２の態様においては、ヘアキャッチャーの広い範囲が噴出水の直射を受けるようになり、ヘアキャッチャーの略全体にわたってヌメリ除去、ゴミのへばりつきが防止される。
【図面の簡単な説明】
【００１０】
【図１】実施の形態に係る排水トラップを備えた浴室の概略的な斜視図である。
【図２】図１の排水トラップの斜視図である。
【図３】図２のIII−III線断面図である。
【図４】図２のIV−IV線断面図である。
【発明を実施するための形態】
【００１１】
以下に、図面を参照して本発明の実施の形態について説明する。
【００１２】
第１図は実施の形態に係る排水トラップを備えた浴室の概略的な斜視図、第２図はこの排水トラップの斜視図、第３図は第２図のIII−III線断面図、第４図は第２図のIV−IV線断面図である。
【００１３】
浴室１の床は浴槽パン（図示略）と洗い場パン２とによって構成され、該浴槽パン上に浴槽３が設置されている。洗い場パン２の浴槽３側には排水枡４が設けられている。該排水枡４は洗い場パン２と一体に凹み状に形成されている。この排水枡４の上面には排水目皿５が装着されている。
【００１４】
これらの浴槽パン及び浴槽３の各排水口１ａ，３ａ並びに洗い場パン２の排水枡４に対し、下側から排水トラップ１０が連結されている。
【００１５】
第２図に示すように、排水トラップ１０の長手方向の略中央の上面には、洗い場パン２からの排水が排水枡４を通り流入する洗い場排水受入口１１が設けられ、他端側の上面には、浴槽３からの排水が排水口３ａを通り流入する浴槽排水流入口１２と、浴槽パンからの排水が排水口１ａを通り流入する浴槽パン排水流入口１３とが設けられている。
【００１６】
また、この排水トラップ１０の他端側には、これらの洗い場排水受入口１１、浴槽排水流入口１２及び浴槽パン排水流入口１３から該排水トラップ１０内に流入した水が流出する合流流出口１４が設けられている。この合流流出口１４に排水管６が接続されている。
【００１７】
この排水トラップ１０内には、洗い場排水受入口１１の下側にトラップ室（封水室）２０が設けられ、このトラップ室２０は合流流出口１４に連通している。このトラップ室２０の底板２２の下側には、浴槽排水流入口１２及び浴槽パン排水流入口１３と合流流出口１４とを連通する浴槽排水流路２３が設けられている。
【００１８】
洗い場排水受入口１１の内周面の内向き鍔部３１に係止されるようにして封水筒３２がトラップ室２０内に垂設されている。この封水筒３２は、上端にフランジ部３２ａ（第４図）が設けられており、このフランジ部３２ａが鍔部３１に係止されている。封水筒３２の下端と底板２２との間にはクリアランスがあいており、封水筒３２内の水がこのクリアランスを通って流出する。トラップ室２０から合流流出口１４に至る排水流路の底板３３は、合流流出口１４側ほど高位となるように傾斜している。トラップ室２０内には、この傾斜底板３３の上端３３ａレベルまで封水が溜まる。前記封水筒３２は、その下部がこの封水中に没する長さを有している。
【００１９】
洗い場排水受入口１１にはトラップ取付フランジ３４が螺着されており、本体側の上面部３５と該フランジ３４との間で、排水升４の底部のトラップ取付用開口４ａ（第４図）の縁部をパッキンを介して挟持することにより排水トラップ１０が洗い場パン２に固着される。このトラップ取付フランジ３４の内周面の凸部３６に係止させてヘアキャッチャー３７が該トラップ取付フランジ３４に内嵌状に着脱可能に装着されている。
【００２０】
このヘアキャッチャー３７の下方において、前記底板２２に開口３９が設けられ、この開口３９に導水部材４０が取り付けられている。
【００２１】
この導水部材４０は、大径筒状の基端環状部４１と、該基端環状部４１の上部から上方に分岐した複数個（この実施の形態では４個）のノズル部４２とを有している。なお、第４図の通り、基端環状部４１の外周面にフランジ部４３と爪部４４が設けられており、該フランジ部４３と爪部４４が開口３９の縁部に対し上下から挟むように係合することにより、導水部材４０が底板２２に着脱可能に取り付けられている。
【００２２】
導水部材４０は封水筒３２内を上方に立ち上がっており、ノズル部４２はトラップ室２０内の封水面（傾斜底板３３の上端３３ａのレベル）よりも上位にまで立ち上がり、各ノズル部４２の上端はヘアキャッチャー３７の直下に位置している。各ノズル部４２は、ヘアキャッチャー３７の中心部に対し周方向に等間隔で配置されている。ノズル部４２の上端とヘアキャッチャー３７の下面との鉛直方向の間隔は０〜２０ｍｍ特に３〜６ｍｍ程度が好適である。各ノズル部４２は、ヘアキャッチャー３７の中心と周縁部との中間付近の下方に位置している。
【００２３】
ノズル部４２は、上端の開口面積を絞り、噴出水速度を大きくするよう構成されるのが好ましい。各ノズル部４２の上端の開口面積の合計は１〜４０ｃｍ２特に３〜１０ｃｍ２程度が好適である。
【００２４】
次に、この排水トラップ１０の作動について説明する。
【００２５】
洗い場パン２からの排水は、排水枡４及び洗い場排水受入口１１を通ってトラップ室２０に流入し、封水筒３２の下側を通って合流流出口１４から排水管６に流出する。この洗い場排水の流出が停止すると、トラップ室２０内には、封水が残り、この封水に封水筒３２の下端が没するので、排水管６の臭気が洗い場排水受入口１１から浴室内に逆流することが防止される。
【００２６】
浴槽３及び浴槽パンからの排水は、各々の排水口３ａ，１ａ並びに浴室排水流入口１２、浴槽パン排水流入口１３から浴槽排水流路２３及び合流流出口１４を通って排水管６に流出する。この際、該浴槽排水流路２３を流れる水の一部は、該浴槽排水流路２３の途中で導水部材４０に流入し、該導水部材４０のノズル部４２からヘアキャッチャー３７に向って噴出する。
【００２７】
この噴出水が直射状にヘアキャッチャー３７に吹き付けられるので、ヘアキャッチャー３７が浄化され、ヌメリ等が除去される。また、ヘアキャッチャー３７内の毛髪などのゴミがヘアキャッチャーから剥離される。これにより、浴槽排水の停止後に、ゴミを摘んで容易に捨てることができるようになる。本発明では、浴槽内の水位が低いときでも、ノズル部４２から水がヘアキャッチャー３７に吹き付けられ、ヘアキャッチャー３７が浄化されると共に、ゴミが剥ぎ取られるようになる。
【００２８】
特に、この実施の形態では、ノズル部４２が複数個設けられ、ヘアキャッチャー３７に対し満遍なく水が噴出されるので、ヘアキャッチャー３７の全体が十分に洗浄され、またヘアキャッチャー３７の上面の全体から毛髪などのゴミが剥ぎ取られるようになる。
【００２９】
浴槽排水の流出が停止すると、浴槽排水流路２３内には合流流出口１４の下縁のレベルまで封水が残るため、排水管６の臭気が浴槽排水流入口１２及び浴槽パン排水流入口１３から浴槽や浴室内に逆流することが防止される。
【００３０】
上記実施の形態は本発明の一例であり、本発明は上記以外の構成とされてもよい。例えば、導水部材４０のノズル部４２の数は４個より多くても少なくてもよい。ノズル部４２の先端をさらに複数に区画して多数の噴出流をヘアキャッチャー３７に噴出させるようにしてもよい。また、ノズル部４２の上端に、開口径が異なるキャップを装着し、上向き噴出水流の噴出速度を調節するようにしてもよい。
【符号の説明】
【００３１】
２  洗い場パン
３  浴槽
４  排水枡
１０  排水トラップ
１１  洗い場排水受入口
１２  浴槽排水流入口
１３  浴槽パン排水口流入口
１４  合流流出口
２０  トラップ室
３２  封水筒
３７  ヘアキャッチャー
４０  導水部材
４２  ノズル部
【図１】
2011226196.tif 000003
【図２】
2011226196.tif 000004
【図３】
2011226196.tif 000005
【図４】
2011226196.tif 000006